(57)【特許請求の範囲】
【請求項１】
一方向に傾斜した傾斜部、該傾斜部の頂端部から垂下した背面部、及び、該傾斜部の側端部から垂下した側面部、からなる直角三角柱状の屋根部と、
該屋根部の四隅をそれぞれ支持する支持柱と、
該支持柱間を被う側壁部と、からなり、
前記傾斜部は、傾斜配置された格子状枠体と、該格子状枠体上に引掛け金具を介して傾斜方向及び交差方向に敷設される着脱自在な板材とからなり、隣り合う該板材は前記格子状枠体上で傾斜方向及び交差方向に連結されており、  
傾斜方向に敷設された前記板材同士の間には、上側の前記板材の前端を固定する二重固定具が取り付けられており、
前記二重固定具がコの字状の嵌合部と、該嵌合部の先端から垂下した垂下部と、垂下部の先端に設けられた返し部とからなり、
上側の前記板材の前端が、前記嵌合部に嵌合され、
下側の前記板材の表面が前記嵌合部の下面に当接され、且つ、下側の前記板材の後端が前記垂下部に当接され、引掛け金具の取付体のフロント部が、垂下部に当接して返し部に係止されており、
上側の板材と下側の板材が二重固定具に取り付けられた状態で、傾斜方向に敷設された状態にあり、上側の板材を持ち上げて二重固定具を回動させ、垂下部に当接していたフロント部から返し部を解除することにより、板材を傾斜部から取り外しできるものであり、
該板材が交互に交換可能なガラス板及び太陽電池パネルであり、
前記背面部及び前記側面部がガラス板であるソーラーガラスハウス。
【請求項２】
太陽電池パネル及びガラス板が同形の矩形であり、該太陽電池パネル及びガラス板の枚数の割合が容易に調整可能である請求項１記載のソーラーガラスハウス。
【請求項３】
前記枠体には、引掛け金具を介して、下地金具及び押さえ金具が取り付けられており、
前記板材が前記下地金具及び前記押さえ金具の間に挟持された状態で、前記押さえ金具がネジボルト止めされることにより固定されている請求項１又は２記載のソーラーガラスハス。
【請求項４】
前記背面部には、外倒し窓が設けられている請求項１〜３のいずれか１項に記載のソーラーガラスハウス。
【請求項５】
隣り合う前記支持柱同士を連結する補強具が取り付けられている請求項１〜４のいずれか１項に記載のソーラーガラスハウス。
【請求項６】
前記側壁部が、ガラス板又はビニールである請求項１〜５のいずれか１項に記載のソーラーガラスハウス。
【請求項７】
請求項１〜６のいずれか１項に記載のソーラーガラスハウスを、前記屋根部における前記傾斜部の傾斜方向が同じになるように、複数連続して立設したソーラーガラスハウス複合体。
【請求項８】
連続する前記屋根部が側面視で鋸歯状となっている請求項７記載のソーラーガラスハウス複合体。
【発明の詳細な説明】
【技術分野】
【０００１】
本発明は、ソーラーガラスハウス及びソーラーガラスハウス複合体に関し、更に詳しくは、横風の影響を受けにくく、太陽電池パネルの着脱が容易あり且つ太陽電池パネルの枚数を調整することもできる太陽光発電可能なソーラーガラスハウス及びソーラーガラスハウス複合体に関する。
【背景技術】
【０００２】
近年、エネルギー源の多様化や温室ガス効果等の地球環境の問題から、いわゆるクリーンエネルギーである太陽光エネルギーが注目されている。そのため、太陽光エネルギーを電力に変える太陽電池パネルが種々開発され、広く使われるようになっている。
【０００３】
ところで、太陽電池パネルは、設置場所が太陽光を受けることができる場所であればどこでも設置できることから、種々の場所に適応が可能である。
特に、農業分野では、農業を行う領域において受光面積を広大に取れるため、農業用ビニールハウスに、太陽電池パネルを設置して、電力を得ようとする試みがなされている。
【０００４】
例えば、この種のビニールハウスとして、透過性を有する温室ハウスに太陽電池パネルが設けられた温室であって、太陽電池パネルが両面受光型の色素増感太陽電池であり、太陽電池パネルの両面が東西方向に向けられている温室が知られている（例えば、特許文献１参照）。
【先行技術文献】
【特許文献】
【０００５】
【特許文献１】特開２０１４−９７００２号公報
【発明の概要】
【発明が解決しようとする課題】
【０００６】
しかしながら、上記特許文献１記載の温室は、太陽電池パネルの両面が東西に向けられており、ビニールハウスの外部に垂直方向に配置されているので、横風を真面に受けやすい。
このため、風に弱く、特に暴風雨や台風の時期には太陽電池パネル自体が外れてしまったり、損傷する恐れがある
また、上記温室は、太陽電池パネルが屋根の長手方向(南北方向)に渡されたパイプに沿ってその長辺が固定されており、損傷したからといって取り換えができない。
【０００７】
本発明は上記事情に鑑みてなされたものであり、横風の影響を受けにくく、太陽電池パネルの着脱が容易であり且つ太陽電池パネルの枚数を調整することもできる太陽光発電可能なソーラーガラスハウス及びソーラーガラスハウス複合体を提供することを目的とする。
【課題を解決するための手段】
【０００８】
本発明者は、上記課題を解決するため鋭意検討したところ、直角三角柱状の屋根部の傾斜部が、格子状に配置された枠体と、該枠体上に敷設された着脱自在な板材とを有し、該板材をガラス板又は太陽電池パネルとすることにより、上記課題を解決し得ることを見出し、本発明を完成するに至った。
【０００９】
本発明は、（１）一方向に傾斜した傾斜部、該傾斜部の頂端部から垂下した背面部、及び、該傾斜部の側端部から垂下した側面部、からなる直角三角柱状の屋根部と、該支持柱間を被う側壁部と、からなり、傾斜部は、傾斜配置された格子状枠体と、該格子状枠体上に引掛け金具を介して傾斜方向及び交差方向に敷設される着脱自在な板材とからなり、隣り合う該板材は前記格子状枠体上で傾斜方向及び交差方向に連結されており、傾斜方向に敷設された板材同士の間には、上側の板材の前端を固定する二重固定具Ｓが取り付けられており、二重固定具がコの字状の嵌合部と、該嵌合部の先端から垂下した垂下部と、垂下部の先端に設けられた返し部とからなり、上側の板材の前端が、嵌合部に嵌合され、下側の板材の表面が嵌合部の下面に当接され、且つ、下側の板材の後端が前記垂下部に当接され、引掛け金具の取付体のフロント部が、垂下部に当接して返し部に係止されており、上側の板材と下側の板材が二重固定具に取り付けられた状態で、傾斜方向に敷設された状態にあり、上側の板材を持ち上げて二重固定具を回動させ、垂下部に当接していたフロント部から返し部を解除することにより、板材を傾斜部から取り外しできるものであり、該板材が交互に交換可能なガラス板及び太陽電池パネルであり、背面部及び側面部がガラス板であるソーラーガラスハウスに存する。
【００１０】
本発明は、（２）太陽電池パネル及びガラス板が同形の矩形であり、該太陽電池パネル及びガラス板の枚数の割合が容易に調整可能である上記（１）記載のソーラーガラスハウスに存する。
【００１２】
本発明は、（３）枠体には、引掛け金具を介して、下地金具及び押さえ金具が取り付けられており、板材が前記下地金具及び押さえ金具の間に挟持された状態で、押さえ金具がネジボルト止めされることにより固定されている上記（１）又は（２）記載のソーラーガラスハウスに存する。
【００１３】
本発明は、（４）背面部には、外倒し窓が設けられている上記（１）〜（３）のいずれか１つに記載のソーラーガラスハウスに存する。
【００１４】
本発明は、（５）隣り合う前記支持柱同士を連結する補強具が取り付けられている上記１〜（４）のいずれか１つに記載のソーラーガラスハウスに存する。
【００１５】
本発明は、（６）  側壁部が、ガラス板又はビニールである上記（１）〜（５）のいずれか１つに記載のソーラーガラスハウスに存する。
【００１６】
本発明は、（７）上記（１）〜（６）のいずれか１つに記載のソーラーガラスハウスを、屋根部における傾斜部の傾斜方向が同じになるように、複数連続して立設したソーラーガラスハウス複合体に存する。
【００１７】
本発明は、（８）連続する前記屋根部が側面視で鋸歯状となっている上記（７）記載のソーラーガラスハウス複合体に存する。
【発明の効果】
【００１８】
本発明のソーラーガラスハウスにおいては、直角三角柱状の屋根部の傾斜部に板材として太陽電池パネルが敷設されているので、横風の影響を受けにくい。
また、当該板材は着脱自在となっているおり、太陽電池パネル又はガラス板の枚数を調整することも可能となっている。
すなわち、太陽電池パネルは、電力を供給するものの、屋根部に敷設するため太陽光を一定量遮る欠点がある。
一方で、ガラス板は太陽光を通過させる。
これらのことから、作製する農作物に必要な日照量に応じて、ガラス板と太陽電池パネルとで交互に交換し合うことにより、日照量の調整を行うことができる。
【００１９】
本発明のソーラーガラスハウスにおいては、傾斜方向に敷設された板材同士の間には、上側の板材の前端を固定する二重固定具が取り付けられているので、上側の板材が滑り落ちることを防止できる。
このとき、二重固定具がコの字状（Ｃ字状）の嵌合部と、該嵌合部の先端から鉛直方向に伸びる垂下部とからなり、上側の板材の前端が、嵌合部に嵌合され、下側の板材の表面が嵌合部の下面に当接され、且つ、下側の板材の後端が、垂下部に当接されている場合、上側の板材が滑り落ちることを防止すると共に、下側の板材に対する上側の板材の位置決めを行うことができる。
【００２０】
本発明のソーラーガラスハウスにおいては、枠体には、引掛け金具を介して、下地金具及び押さえ金具が取り付けられており、板材が下地金具及び押さえ金具の間に挟持された状態で、押さえ金具がネジボルト止めされることにより固定されているので、暴風雨や台風があっても、板材が外れることを防止することができる。
【００２１】
本発明のソーラーガラスハウスにおいては、背面部に、外倒し窓が設けられているので、ソーラーガラスハウス内の通気性を向上させることができる。
また、外倒し窓とすることにより、ソーラーガラスハウス内の空気が外により侵出し易くなる。
【００２２】
本発明のソーラーガラスハウスにおいては、隣り合う支持柱同士を連結する補強具が取り付けられているので、ソーラーガラスハウス自体の強度を向上させることができる。
【００２３】
本発明のソーラーガラスハウスにおいては、側壁部を、透明なガラス板又はビニールとすることにより、日照量を向上させることができる。
【００２４】
本発明のソーラーガラスハウス複合体においては、屋根部における傾斜部の傾斜方向が同じになるように、ソーラーガラスハウスが複数連続して立設されているので、得られる電力量を増大させることができる。
このとき、連続する屋根部が側面視で鋸歯状となるように設置することで、横風の影響を受け難く、電力量も効率良く得られえる。
【図面の簡単な説明】
【００２５】
【図１】図１は、本実施形態に係るソーラーガラスハウス複合体を模式的に示す斜視図である。
【図２】図２は、本実施形態に係るソーラーガラスハウス複合体の屋根部を部分的に示す斜視図である。
【図３】図３の（ａ）は、本実施形態に係るソーラーガラスハウス複合体に用いられる二重固定具を示す斜視図であり、（ｂ）は、二重固定具の取付け状態を説明するための側面図である。
【図４】図４の（ａ）〜（ｃ）は、本実施形態に係るソーラーガラスハウス複合体における板材の着脱の方法を説明するための説明図である。
【図５】図５は、図２の部分Ｐを拡大した説明図である。
【図６】図６は、本実施形態に係るソーラーガラスハウス複合体において、空気の流れを説明するための模式図である。
【図７】図７は、本実施形態に係るソーラーガラスハウス複合体の一部を示す側面図である。
【発明を実施するための形態】
【００２６】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。更に、図面の寸法比率は図示の比率に限られるものではない。
【００２７】
図１は、本実施形態に係るソーラーガラスハウス複合体を模式的に示す斜視図である。
図１に示すように、本実施形態に係るソーラーガラスハウス複合体Ｈは、屋根部における傾斜部の傾斜方向が同じになるように、ソーラーガラスハウス１００が４棟連続して立設されたものである。
また、各ソーラーガラスハウス１００は、太陽電池パネルを備えた直角三角柱状の屋根部１０と、該屋根部１０の四隅をそれぞれ支持する支持柱２０と、該支持柱２０間を被う側壁部３０と、からなる。
【００２８】
したがって、ソーラーガラスハウス複合体Ｈは、太陽電池パネルを備えたソーラーガラスハウス１００を複数有するので、得られる電力量を段階的に増大させることができる。
また、各ソーラーガラスハウス１００においては、直角三角柱状の屋根部１０に太陽電池パネルが敷設されているので、横風の影響を受けにくい。
特に、ソーラーガラスハウス複合体Ｈは、このソーラーガラスハウス１００が複数連続して立設されているので、外形的に見て直角三角柱状の屋根部１０が連続することになる。
すなわち、連続する屋根部１０が側面視で鋸歯状となっている。
このため、横風の影響をより受け難いという利点がある。
【００２９】
図２は、本実施形態に係るソーラーガラスハウス複合体の屋根部を部分的に示す斜視図である。
なお、側面部３のガラス板は省略している。
図２に示すように、屋根部１０は、一方向に傾斜した傾斜部１、該傾斜部１の頂端部１ａから垂下した背面部２、及び、該傾斜部１の側端部１ｂから垂下した側面部３、からなる。
【００３０】
屋根部１０において、傾斜部１は、格子状に配置された枠体５と、該枠体５上に引掛け金具５ａを介して敷設された着脱自在な矩形状の板材Ｂとを有する。
ここで、板材Ｂとしては、略同形のガラス板Ｂ２又は太陽電池パネルＢ１が採用される。
太陽電池パネルＢ１及びガラス板Ｂ２を略同形の矩形とすることにより、複数個、規則的に配置することが可能となる。
【００３１】
上記ガラス板Ｂ２としては、透明なガラスからなるものであれば特に限定されないが、強化ガラスが好適に用いられる。
上記太陽電池パネルＢ１としては、市販の太陽電池パネルも採用可能であるが、日照性及び軽量化の観点から、薄膜アモルファス太陽電池パネルが好適に用いられる。
なお、引掛け金具５ａについては、後述する。
【００３２】
ソーラーガラスハウス複合体Ｈにおいては、傾斜部１の板材Ｂが南側に向かうように配置される。
これにより、太陽光は、効率良くガラス板Ｂ２を通過して地面に達することができると共に、効率良く太陽電池パネルＢ１にエネルギーを与えることになる。
【００３３】
屋根部１０において、板材Ｂは、着脱自在となっている。これにより、太陽電池パネルＢ１又はガラス板Ｂ２の枚数の割合を調整することが可能となる。
なお、太陽電池パネルＢ１は、電力を供給するものの、屋根部に敷設するため太陽光を一定量遮る欠点がある。
一方で、ガラス板Ｂ２は太陽光を通過させる。
これらのことから、例えば、作製する農作物に必要な日照量に応じて、ガラス板Ｂ２と太陽電池パネルＢ１とで交互に交換し合うことにより、日照量の調整を行うことができると共に、電力を得ることもできる。
【００３４】
屋根部１０において、傾斜方向に敷設された板材Ｂ同士の間には、上側の板材Ｂの前端を固定する二重固定具Ｓが等間隔で複数取り付けられている。
これにより、上側の板材Ｂが、下側の板材Ｂ側に滑り落ちることを防止できる。
【００３５】
図３の（ａ）は、本実施形態に係るソーラーガラスハウス複合体に用いられる二重固定具を示す斜視図であり、（ｂ）は、二重固定具の取付け状態を説明するための側面図である。
図３の（ａ）に示すように、二重固定具Ｓは、コの字状の嵌合部１１と、該嵌合部１１の先端から垂下する垂下部１２と、垂下部１２の先端に設けられた返し部１３とからなる。
【００３６】
図３の（ｂ）に示すように、二重固定具Ｓは、上側の板材ＢＵの前端ＢＵａが、嵌合部１１に嵌合される。
また、下側の板材ＢＤの表面が嵌合部１１の下面に当接され、且つ、下側の板材ＢＤの後端ＢＤａが、垂下部１２に当接される。
さらに、垂下部１２は、板材Ｂが支持される枠体５上の引掛け金具５ａにも当接される。
具体的には、垂下部１２は、後述する引掛け金具５ａの取付体５ａ２のフロント面５ａ３に当接され、返し部１３が当該フロント面５ａ３の先端に引っ掛かるようになっている。
【００３７】
二重固定具Ｓにおいては、上側の板材ＢＵを支持すると共に、下側の板材ＢＤ及び引掛け金具５ａに当接されるので、上側の板材ＢＵが滑り落ちることを防止すると共に、下側の板材ＢＤの位置決めと、下側の板材ＢＤに対する上側の板材ＢＵの位置決めを行うことができる。
また、二重固定具Ｓは、返し部１３が引掛け金具５ａに係止されるので、簡単且つ確実に固定することができる。
その結果、傾くことなく、バランスよく、板材Ｂを敷設することが可能となる。
【００３８】
図４の（ａ）〜（ｃ）は、本実施形態に係るソーラーガラスハウス複合体における板材の着脱の方法を説明するための説明図である。
図４の（ａ）に示すように、上側の板材ＢＵ及び下側の板材ＢＤが二重固定具Ｓに取り付けられた状態から、上側の板材ＢＵを持ち上げると共に、二重固定具Ｓを回動させる。
そうすると、図４の（ｂ）に示すように、フロント面５ａ３の先端に引っ掛かけられていた二重固定具Ｓの返し部１３が外れる。
これにより、図４の（ｃ）に示すように、嵌合部１１から上側の板材ＢＵが容易に取り外される。
なお、取付けの際には、逆の操作を行えばよい。
【００３９】
図５は、図２の部分Ｐを拡大した説明図である。
図５に示すように、屋根部１０において、引掛け金具５ａは、枠体５と板材Ｂとの間に設けられる。
引掛け金具５ａは、断面視でＬ字状の基体５ａ１と、該基体５ａ１に一体に取り付けられた断面視でコの字状（Ｃ字状）の長尺状の取付体５ａ２とからなる。
なお、上述したように、取付体５ａ２のフロント部５ａ３には、二重固定具Ｓが当接される。
引掛け金具５ａにおいては、基体５ａ１に図示しない長溝が設けられており、取付体５ａ２をネジ止めする取り付け位置を長溝に沿って上下方向で変化させることにより、枠体５と板材Ｂとの間の距離（上下間隔）を変更できるようになっている。
これにより、敷設される板材Ｂの高さをコントロールすることができる。
【００４０】
ソーラーガラスハウス複合体Ｈにおいて、枠体５には、上述した引掛け金具５ａを介して、下地金具７ａ及び押さえ金具７ｂが取り付けられており、板材Ｂの側端が下地金具７ａ及び押さえ金具７ｂの間に挟持された状態で、押さえ金具７ｂがネジボルト７ｃにより螺合されることにより固定されている。
【００４１】
したがって、ソーラーガラスハウス複合体Ｈにおいては、板材Ｂの前端及び後端は二重固定具Ｓにより固定され、側端は押さえ金具７ｂにより固定されることになる。
これにより、暴風雨や台風があっても、板材Ｂが外れることを確実に防止することができる。
なお、板材Ｂを取り外す際には、ネジボルト７ｃを取り外し、次いで、押さえ金具７ｂを取り外せばよい。
【００４２】
図２に戻り、背面部２及び側面部３は、透明なガラス板からなる。
かかるガラス板としては、透明なガラスからなるものであれば特に限定されないが、強化ガラスが好適に用いられる。
【００４３】
図２に示すように、ソーラーガラスハウス複合体Ｈにおいて、背面部２には、外倒し窓Ｗが設けられている。
図６は、本実施形態に係るソーラーガラスハウス複合体において、空気の流れを説明するための模式図である。
図６に示すように、ソーラーガラスハウス複合体Ｈは、連続する屋根部１０が側面視で鋸歯状となっており、背面部２には、外倒し窓Ｗが設けられている。
【００４４】
ソーラーガラスハウス複合体Ｈにおいては、図の矢印で示す方向に風が吹いた場合、隣り合う屋根部１０同士の間で風が回流を引き起こす。
そして、その回流が、ソーラーガラスハウス複合体Ｈ内の空気を引き出すという効果を発揮する。
また、外倒し窓Ｗとすることにより、風の回流で窓が飛ばされることを抑制できる。
これらのことにより、ソーラーガラスハウス複合体Ｈ内の通気性を向上させることができる。
【００４５】
図１に戻り、支持柱２０は、屋根部１０の四隅をそれぞれ支持する。
支持柱２０としては、屋根部１０を支持可能であれば、特に限定されず、例えば、公知の鉄骨等が適宜利用できる。
【００４６】
側壁部３０は、外部との区画のため、支持柱２０間を被っている。
側壁部３０としては、例えば、透明なガラス板又は透明なビニール等が挙げられる。
これにより、日照量を向上させることができる。
【００４７】
図７は、本実施形態に係るソーラーガラスハウス複合体の一部を示す側面図である。
図７に示すように、側壁部３０においては、隣り合う支持柱２０同士を連結する補強具２１が取り付けられている。
これにより、ソーラーガラスハウス複合体Ｈ自体の強度を向上させることができる。
また、補強具２１を備えることにより、支持柱２０は、比較的重量が大きい屋根部１０を十分に支持することが可能となる。
【００４８】
以上、本発明の好適な実施形態について説明したが、本発明は上記実施形態に限定されるものではない。
【００４９】
例えば、本実施形態に係るソーラーガラスハウス複合体Ｈは、屋根部１０における傾斜部１の傾斜方向が同じになるように、ソーラーガラスハウス１００が４棟連続して立設されたものであるが、ソーラーガラスハウス１００が１棟からなるものであってもよく、２棟又は３棟連続して立設されたものであってもよく、５棟以上連続して立設されたものであってもよい。
【００５０】
本実施形態に係るソーラーガラスハウス複合体Ｈにおいて、二重固定具Ｓは、コの字状の嵌合部１１と、該嵌合部１１の先端から鉛直方向に伸びる垂下部１２とからなっているがこの形状に限定されるものではない。
【００５１】
本実施形態に係るソーラーガラスハウス複合体Ｈの引掛け金具５ａにおいて、基体５ａ１には長溝が設けられており、取付体５ａ２をネジ止めする取り付け位置を長溝に沿って上下方向で変化させることにより、枠体５と板材Ｂとの間の距離（上下間隔）を変更できるようになっているが、基体５ａ１と取付体５ａ２とが直接溶接されていてもよい。
【００５２】
本実施形態に係るソーラーガラスハウス複合体Ｈにおいて、板材Ｂは、その側端が下地金具７ａ及び押さえ金具７ｂの間に挟持された状態で、押さえ金具７ｂがネジボルト７ｃにより螺合されることにより固定されているが、固定する方法は、これに限定されない。
【００５３】
本実施形態に係るソーラーガラスハウス複合体Ｈにおいて、側壁部３０には、ソーラーガラスハウス複合体Ｈ内に出入りするためのドアを設けることも可能である。
【産業上の利用可能性】
【００５４】
本発明に係るソーラーガラスハウス及びソーラーガラスハウス複合体は、例えば農業分野において、植物を育成し、且つ、太陽電池パネルを利用することにより発電することも可能なハウスとして用いられる。
本発明に係るソーラーガラスハウス及びソーラーガラスハウス複合体によれば、横風の影響を受けにくく、太陽電池パネルの着脱が容易あり且つ太陽電池パネルの枚数を調整することも可能となる。
【符号の説明】
【００５５】
１・・・傾斜部
１ａ・・・頂端部
１ｂ・・・側端部
２・・・背面部
３・・・側面部
５・・・枠体
５ａ・・・引掛け金具
５ａ１・・・基体
５ａ２・・・取付体
５ａ３・・・フロント部
７ａ・・・下地金具
７ｂ・・・押さえ金具
７ｃ・・・ネジボルト
１０・・・屋根部
１１・・・嵌合部
１２・・・垂下部
１３・・・返し部
２０・・・支持柱
２１・・・補強具
３０・・・側壁部
１００・・・ソーラーガラスハウス
Ｂ，ＢＤ，ＢＵ・・・板材
Ｂ１・・・太陽電池パネル
Ｂ２・・・ガラス板
ＢＤａ・・・後端
ＢＵａ・・・前端
Ｈ・・・ソーラーガラスハウス複合体
Ｓ・・・二重固定具
【要約】      （修正有）【課題】横風の影響を受けにくく、太陽電池パネルの着脱が容易であり且つ太陽電池パネルの枚数を調整することも可能な太陽光発電可能なソーラーガラスハウス及びソーラーガラスハウス複合体を提供する。【解決手段】一方向に傾斜した傾斜部、該傾斜部の頂端部から垂下した背面部２、及び、該傾斜部の側端部から垂下した側面部３、からなる直角三角柱状の屋根部１０と、該屋根部の四隅をそれぞれ支持する支持柱２０と、該支持柱間を被う側壁部３０と、からなり、傾斜部が、格子状に配置された枠体と、該枠体上に敷設された着脱自在な板材とを有し、該板材がガラス板又は太陽電池パネルであり、背面部及び側面部がガラス板であるソーラーガラスハウス１００である。【選択図】図１【図１】
0005799156.tif 000002
【図２】
0005799156.tif 000003
【図３】
0005799156.tif 000004
【図４】
0005799156.tif 000005
【図５】
0005799156.tif 000006
【図６】
0005799156.tif 000007
【図７】
0005799156.tif 000008